(57)【要約】      （修正有）【課題】微生物及び動・植物細胞を利用した食品、医薬品等の製造及び研究に用いられる培養装置に使用されるｐＨ電極やＤＯ(溶存酸素)電極等の電極校正支援機器では、従来の手作業による電極校正作業は煩雑であり、校正液の洗浄、除去が不十分となり校正に正確さを欠いたり、硝子製の先端測定部を破損する等不都合な問題点があった。【解決手段】筒状の容器であって、容器内部に電極を保持し、下部に洗浄水入口、標準校正液入口、排出口を配し、各入口には電磁弁が備えられており、中間部にレベルセンサー、上部側胴部に吸排出口を配してなる電極校正装置。【選択図】なし【特許請求の範囲】
【請求項１】
管状の容器であって、前記容器内部に電極を保持し、前記容器下部に洗浄水入口、校正液入口、排出口を配し、前記各入口及び前記排出口には電磁弁が備えられており、前記容器の中間部にレベルセンサーを配置し、前記容器の上部側胴部に吸排出口を配してなる電極校正装置。
【請求項２】
管状の容器であって、前記容器内部にｐＨ電極を保持し、前記容器下部に洗浄水入口、標準校正液入口、排出口を配し、前記各入口及び前記排出口には電磁弁が備えられており、前記容器の中間部にレベルセンサーを配置し、前記容器の上部側胴部に吸排出口を配してなる電極校正装置。
【請求項３】
管状の容器であって、前記容器内部にＤＯ電極を保持し、前記容器下部に洗浄水入口、ゼロ校正液入口、排出口を配し、前記各入口及び前記排出口には電磁弁が備えられており、前記容器の中間部にレベルセンサーを配置し、前記容器の上部側胴部に吸排出口を配してなる電極校正装置。
【請求項４】
前記容器の中間部にターボビンブロア装置を更に配した請求項１乃至３のいずれか一項に記載の電極校正装置。
【発明の詳細な説明】
【技術分野】
【０００１】
本考案は、微生物及び動・植物細胞を利用した食品、医薬品等の製造及び研究に用いられる培養装置に使用されるｐＨ電極やＤＯ(溶存酸素)電極等の電極校正支援機器に関する。
【背景技術】
【０００２】
ｐＨ電極やＤＯ(溶存酸素)電極は、培養時の培養液の質的変化による培養の状況、即ち菌体及び動・植物細胞の生育状況や菌体及び動・植物細胞の生産物、或いは雑菌汚染の有無を確認するのに従来から広く使用されている。
【０００３】
これらの電極は使用時毎に校正を行うことは電極の性質上、必要不可欠である。
【０００４】
例えば、ｐＨ電極の場合、予め用意された２種類の標準校正液(バッファ=緩衝溶液)、ｐＨ７(ゼロ校正用)とｐＨ電４又はｐＨ９(スパン校正用)に電極先端(測定部)を交互に浸し、校正を行う。
【０００５】
又、ＤＯ電極の場合には、予め調整、用意した校正液(５〜１０％の亜硫酸ナトリウム溶液)でゼロ校正を行い、空気によりスパン校正を行う。
【０００６】
前記電極の従来の校正作業は次のとおりである。
【０００７】
(1）洗浄
ｐＨ電極の先端（測定部）を蒸留水で洗浄する。
(２）拭き取り
上記（１）の水気を取る。
(３）ゼロ校正
容器に取った標準校正液（ｐＨ７）に電極を浸す。
(４）校正
測定器の値をｐＨ７に合わせる。
(５）ｐＨ電極の先端）（測定部）を蒸留水で洗浄する。
(６）拭き取り
上記（５）の水気を取る。
(７）スパン校正
容器に取った標準校正液（ｐＨ４）に電極を浸す。
（８）校正
測定器の値をｐＨ４に合わせる。
（９）洗浄
ｐＨ電極の先端（測定部）を蒸留水で洗浄する。
（１０）拭き取り
上記（９）の水気を取る。
（１１）終了
以上が従来の手作業によるｐＨ電極の校正作業である。
【０００８】
次に、従来のDO電極の校正の作業手順は以下のとおりである。
（１）洗浄：DO電極の先端（測定部）を蒸留水で洗浄する。（２）拭き取り：水気を取る。
（３）ゼロ校正：容器に取ったゼロ校正液（5〜10％の亜硫酸ナトリウム溶液）に電極先端を浸す。
（４）校正：測定器を０％に合わせる。
（５）洗浄：DO電極の先端（測定部）を蒸留水で洗浄する。（６）拭き取り：水気を取る。
（７）スパン校正：大気中にDO電極を保持する。
（８）空気校正：酸素分圧の等しい空気を基準として１００％とする。相対酸素飽和濃度ともいう。他にｍｇ／Ｌ、ｐｐｍを単位とする場合もある。
【発明の概要】
【発明が解決しようとする課題】
【０００９】
しかし、前記のような電極校正の手作業は煩雑であり、校正液の洗浄、除去が不十分となり校正に正確さを欠いたり、硝子製の先端測定部を破損する等不都合な問題点があった。
【００１０】
本発明は、前記した従来の問題点を解決し、電極校正作業を半自動で行うものであり、作業者の労力軽減、不注意による校正の失敗、破損を防止する電極校正支援装置を提供することを課題とするものである。
【課題を解決するための手段】
【００１１】
本発明者は上記課題を解決するため鋭意検討を重ねた結果、煩雑な手作業による電極校正を半自動化するための装置として本発明者が新たに製造した電極校正装置を用いることにより目的が達成できることを見出し、本発明を完成するにいたった。
【００１２】
すなわち、本発明の電極校正装置は管状の容器であって、前記容器の内部に電極を保持し、前記容器下部に洗浄水入口、校正液入口、排出口を設け、前記各入口及び前記排出口には電磁弁が設けられており、前記容器の中間部にレベルセンサーを設け、前記容器の上部側胴部に吸排出口を設けてなる電極校正装置を提供する。
【００１３】
そして、本発明は、管状の容器であって、前記容器内部にｐＨ電極を保持し、前記容器下部に洗浄水入口、標準校正液入口、排出口を設け、前記各入口及び前記排出口には電磁弁が設けられており、前記容器の中間部にレベルセンサーを設け、前記容器の上部側胴部に吸排出口を設けてなる電極校正装置を提供する。
【００１４】
又、本発明は、管状の容器であって、前記容器内部にＤＯ電極を保持し、前記容器下部に洗浄水入口、ゼロ校正液入口、排出口を設け、前記各入口及び前記排出口には電磁弁が設けられており、前記容器の中間部にレベルセンサーを設け、前記容器の上部側胴部に吸排出口を配してなる電極校正装置を提供する。
【００１５】
そして、本発明は、前記容器の中間部にタービンブロア装置を更に設けた電極校正装置を提供する。
【発明の効果】
【００１６】
本発明の半自動電極校正支援装置を用いれば、煩雑な電極校正作業を半自動化することができ、校正液の洗浄、除去を十分に行うことができ校正が正確となり、又、硝子製の先端測定部を破損する等不都合な問題点が解消した。又、ターボブロアを備えることによって、洗浄液の乾燥を迅速に行える結果、電極校正に要する時間を大幅に短縮することができた。
【図面の簡単な説明】
【００１７】
【図１】本発明の一実施例であるｐＨ電極校正支援装置の全体の構成を示す図である。
【図２】本発明の一実施例であるＤＯ電極校正支援装置の全体の構成を示す図である。
【図３】本発明の一実施例であるタービンブロア装置付電極校正支援装置の全体の構成を示す図である。
【図４】本発明の一実施例であるタービンブロア装置の動作を説明する斜視図である。
【発明を実施するための形態】
【００１８】
まず、電極がｐＨ電極である場合の本装置の動作を図1を参照して説明する。
図１は本発明の電極校正装置の内、電極がｐＨ電極である場合の本装置の全体の構成を示す図である。
【００１９】
下部に洗浄水入口３a、標準校正液入口４a、空気入口６ａ、排出口７ａを配し、中間にはレベルセンサー２ａ、上部側胴部には吸、排気口８ａを配した管状の電極保持容器１０ａからなる。
洗浄水入口、ゼロ校正液入口、空気入口、排出口にはそれぞれ電磁弁が取付けてある。（V1〜V4）
また吸、排気口には空気を吸ったり、空気を押し出す吸入/排出ポンプ９が取付けてある。
【００２０】
動作説明：基本動作は以下のステップからなる。
【００２１】
ステップ０：準備１/
ｐＨ電極１を容器１０ａの上部より載置する。
ステップ１：標準液pH7充填/
電磁弁V2が開き吸入・排出ポンプ９の吸気作用により標準校正液pH7をレベルセンサー２ａで検知されるレベルまで容器１０ａに注入後V2が閉まり保持する。
ステップ２：標準液pH7戻し/
測定器の値をpH７に合わせた後、電磁弁V2が開き、吸入/排出ポンプ９の空気押し出し作用により、標準校正液pH7をその容器に戻す。
ステップ３：洗浄/
電磁弁V3が開き吸入・排出ポンプ９の吸気作用により洗浄水を２で検知されるレベルまで電極保持容器10に注入後、V3が閉まり保持する。
ステップ４：洗浄水排出/
電磁弁V4が開き吸入・排出ポンプ９の空気押し出し作用により洗浄水を電極保持容器１０外に排出する。
上記ステップ３と４は任意回数行うことができる。
ステップ５：乾燥/
電磁弁V5が開き圧縮空気でpH電極先端を乾燥させる。空気は電磁弁V4が開き電極保持容器１０外に排出される。
ステップ６：標準液pH4充填/
電磁弁V1が開き吸入/排出ポンプ９の吸気作用により標準校正液pH4を２で検知されるレベルまで電極保持容器１０に注入後V1が閉まり保持する。
ステップ７：標準液pH4戻し/
測定器の値をpH４に合わせた後、電磁弁V1が開き、吸入/排出ポンプ９の空気押し出し作用により、標準校正液pH4をその容器に戻す。
ステップ８：洗浄/
電磁弁V3が開き吸入/排出ポンプ９の吸気作用により洗浄水を２で検知されるレベルまで電極保持容器１０に注入後V3が閉まり保持する。
ステップ９：洗浄水排出/
電磁弁V4が開き吸入/排出ポンプ９の空気押し出し作用により洗浄水を電極保持容器１０外に排出する。
上記ステップ８と９は任意回数行うことができる。
ステップ１０：乾燥/
電磁弁V5が開き圧縮空気でpH電極先端を乾燥させる。空気は電磁弁V4が開き電極保持容器１０外に排出される。
ステップ１１：終了/
pH電極を電極保持容器１０より取り外す。
【００２２】
次に、電極がＤＯ電極である場合の本装置の作業手順は以下のようになる。
図２は本発明の電極校正装置の内、ＤＯ電極校正装置の全体の構成を示す図である。
【００２３】
下部に洗浄水入口３、ゼロ校正液入口４、空気入口５、排出口６を配し、中間にはレベルセンサー２、上部側胴部には吸、排気口７を配した管状の電極保持容器９からなる。
洗浄水入口、ゼロ校正液入口、空気入口、排出口にはそれぞれ電磁弁が取付けてある。（V1〜V4）
また吸、排気口には空気を吸ったり、空気を押し出すポンプ８が取付けてある
【００２４】
動作説明：基本動作は以下のステップからなる。
ステップ０：準備１/
DO電極を容器１０の上部より載置する。
ステップ１：ゼロ校正液充填/
電磁弁V1が開き吸入/排出ポンプ９の吸気作用によりゼロ校正液を２で検知されるレベルまで９に注入後V1が閉まり保持する。
ステップ２：ゼロ校正液戻し/
測定器の値を０％に合わせた後、電磁弁V1が開き、８の空気押し出し作用により、ゼロ校正液をその容器に戻す。
ステップ３：洗浄
電磁弁V2が開き吸入/排出ポンプ９の吸気作用により洗浄水を２で検知されるレベルまで容器１０に注入後V2が閉まり保持する。
【００２５】
ステップ４：洗浄水排出/
電磁弁V4が開き吸入/排出ポンプ９の空気押し出し作用により洗浄水を容器１０外に排出する。
ステップ３と４は任意回数行うことができる。
ステップ５：乾燥/
電磁弁V5が開き圧縮空気でDO電極先端を乾燥させる。
空気は電磁弁V4が開き容器１０外に排出される。
ステップ６：スパン校正/
電磁弁V5が閉じV4が開く。V1、V2は閉じたまま。
測定器の値を１００％に合わせる。
ステップ７：終了/
DO電極を容器１０より取り外す。
【００２６】
次に、図３及び図４では、容器中間部にタービンブロア装置を配置した電極校正装置の全体構成を示す。
本発明においては、タービンブロア装置は容器の中間部に設けられている。タービンブロアのタービンハウジングに空気流入口が設けられており、乾燥空気が空気入口から流入し、タービン翼により加速され、電極周りを乾燥させる。これにより、上記の乾燥ステップにおける乾燥時間を大幅に短縮することができる。
【符号の説明】
【００２７】
１a, 1b  電極
２a, 2b  レベルセンサー
３a,3b  洗浄水入口
４a,4b  校正液入口
５  洗浄水入口
6a,6b  空気入口
7a,7b  排出口８a,8b  排気口
９  吸入・排出ポンプ
１０  電極保持容器
１１  タービンハウジング
１２  空気入口
Ｖ1,V2,V3,V4,V５  電磁弁
【図１】
2017037018.tif 000002
【図２】
2017037018.tif 000003
【図３】
2017037018.tif 000004
【図４】
2017037018.tif 000005